(57)【要約】【課題】より一層の低ＥＳＬ化が図られた積層コンデンサを提供する。【解決手段】各独立コンデンサ部を構成する第１，第２内部導体層１５，１６の引出部１５ａ，１６ａの端縁を該第１，第２内部導体層１５，１６の引出部１５ａ，１６ａが接続された第１，第２外部電極１２，１３の間の本体１１の両側面で部分的に露出させることによって、一方極性の引出部１５ａから他方極性の引出部１６ａへの電流経路の長さを短くして該電流経路で生じ得るインダクタンスを低下させ、しかも、一方極性の引出部１５ａと他方極性の引出部１６ａを近づけて該引出部１５ａ，１６ａに逆向きに流れる電流により得られる磁界相殺作用を効果的に行う。【選択図】図３
2009026872.tif 000002
【特許請求の範囲】
【請求項１】
直方体形状の本体の側面に一方極性の第１外部電極と他方極性の第２外部電極とを非接触で交互に設けた積層コンデンサであって、
本体は、同一平面に非接触で並ぶ複数の第１内部導体層と、同一平面に非接触で並ぶ第１内部導体層と同数の第２内部導体層とを、誘電体層を介して交互に積層して一体化した構造を有していて、誘電体層を介して積層方向で並ぶ第１，第２内部電極層それぞれによって複数の独立コンデンサ部を構成しており、
各独立コンデンサ部の第１，第２内部導体層は同じ側縁の異なる位置に１つの引出部を有していて、各独立コンデンサ部の第１内部導体層の引出部は第１外部電極にそれぞれ接続され、且つ、第２内部導体層の引出部は該第１外部電極と隣接する第２外部電極にそれぞれ接続されており、
各独立コンデンサ部の第１，第２内部導体層の引出部の端縁は該第１，第２内部導体層の引出部が接続された第１，第２外部電極の間の本体の側面で部分的に露出していて、該端縁露出部分は本体の側面の第１，第２外部電極の間に設けられた絶縁被覆部によって覆い隠されている、
ことを特徴とする積層コンデンサ。
【請求項２】
第１外部電極と第２外部電極は本体の幅方向両側面それぞれに２個ずつ設けられ、
同一平面に非接触で並ぶ第１内部導体層の数は２で、同一平面に非接触で並ぶ第２内部導体層の数は２で、独立コンデンサ部の数は２であり、
引出部は各独立コンデンサ部の第１，第２内部導体層の幅方向両側縁にそれぞれ１個ずつ設けられていて、各独立コンデンサ部の第１内部導体層の一側縁の引出部は本体の一側面の第１外部電極に接続され、且つ、他側縁の引出部は本体の他側面の第１外部電極に接続され、各独立コンデンサ部の第２内部導体層の一側縁の引出部は本体の一側面の第２外部電極に接続され、且つ、他側縁の引出部は本体の他側面の第２外部電極に接続されている、
ことを特徴とする請求項１に記載の積層コンデンサ。
【請求項３】
各独立コンデンサ部の第１，第２内部導体層の引出部は矩形状を成し、該第１，第２内部導体層の引出部の内側縁間隔は零よりも大きく、且つ、両引出部は積層方向で向き合っていない、
ことを特徴とする請求項１または２に記載の積層コンデンサ。
【請求項４】
各独立コンデンサ部の第１，第２内部導体層の引出部は矩形状を成し、該第１，第２内部導体層の引出部の内側縁間隔は零である、
ことを特徴とする請求項１または２に記載の積層コンデンサ。
【請求項５】
各独立コンデンサ部の第１，第２内部導体層の引出部は矩形状を成し、該第１，第２内部導体層の引出部の内側縁間隔は零よりも大きく、且つ、両引出部は積層方向で部分的に向き合っている、
ことを特徴とする請求項１または２に記載の積層コンデンサ。
【請求項６】
各独立コンデンサ部の第１，第２内部導体層の引出部の幅は該第１，第２内部導体層の引出部が接続された第１，第２外部電極の幅よりも大きい、
ことを特徴とする請求項３〜５の何れか１項に記載の積層コンデンサ。
【請求項７】
絶縁被覆部は本体を構成する誘電体層と同じ材料から成る、
ことを特徴とする請求項に請求項１〜６の何れか１項に記載の積層コンデンサ。
【請求項８】
絶縁被覆部の厚さは第１，第２外部電極の厚さよりも小さい、
ことを特徴とする請求項に請求項１〜７の何れか１項に記載の積層コンデンサ。
【発明の詳細な説明】
【技術分野】
【０００１】
本発明は、デカップリングの用途に適した積層コンデンサに関する。
【背景技術】
【０００２】
デカップリングに用いられる積層コンデンサには高静電容量と低ＥＳＬ（等価直列インダクタンス）が求められており、特許文献１及び２にはこの種の積層コンデンサが開示されている。
【０００３】
特許文献１の積層コンデンサは、直方体形状の本体と、本体の幅方向両側面それぞれに非接触で４個ずつ設けられた極性が交互に異なる計８個の外部電極とを備えている。本体は、幅方向両側縁にそれぞれ２個ずつ設けられた計４個の引出部を有する第１内部導体層と、幅方向両側縁にそれぞれ２個ずつ設けられた計４個の引出部を第１内部導体層の引出部とは異なる位置に有する第２内部導体層とを、誘電体層を介して交互に積層して一体化した構造を有している。各第１内部導体層の４個の引出部は一方極性の４個の外部電極に接続され、各第２内部導体層の４個の引出部は他方極性の残り４個の外部電極に接続されている。
【０００４】
一方、特許文献２の積層コンデンサは、特許文献１の積層コンデンサの各第１内部導体層を幅方向に２分割すると共に各第２内部導体層を幅方向に２分割したような構造を備えている。
【特許文献１】特表２００２−５０８１１４号公報
【特許文献２】特開２００２−１５１３４９号公報
【発明の開示】
【発明が解決しようとする課題】
【０００５】
積層コンデンサの静電容量は基本的には内部導体層の積層数によって調整できるため、特許文献１及び特許文献２の積層コンデンサの何れもデカップリングの用途に適した充分な静電容量を得ることができる。
【０００６】
一方、積層コンデンサのＥＳＬは該積層コンデンサの全体構造によって決まるものであるが、特許文献１及び特許文献２の積層コンデンサでは誘電体層を介して隣り合う異極性の引出部に流れる電流の向きが逆になるようにすることで各々の引出部に流れる電流により生じる磁界を相殺してＥＳＬ低減を図っている。
【０００７】
特許文献１及び特許文献２の積層コンデンサで採用されているＥＳＬ低減手法は、一方極性の引出部から他方極性の引出部への電流経路で生じたインダクタンスを磁界相殺作用によって低減するものであるが、一方極性の引出部から他方極性の引出部への電流経路の長さを短くして該電流経路で生じ得るインダクタンスを低下させればより一層のＥＳＬ低減を図ることができ、また、一方極性の引出部と他方極性の引出部を近づけて磁界相殺作用が効果的に行えるようにすればより一層のＥＳＬ低減を図ることができる。
【０００８】
本発明は前記事情に鑑みて創作されたもので、その目的とするところは、より一層の低ＥＳＬ化が図られた積層コンデンサを提供することにある。
【課題を解決するための手段】
【０００９】
前記目的を達成するため、本発明は、直方体形状の本体の側面に一方極性の第１外部電極と他方極性の第２外部電極とを非接触で交互に設けた積層コンデンサであって、本体は、同一平面に非接触で並ぶ複数の第１内部導体層と、同一平面に非接触で並ぶ第１内部導体層と同数の第２内部導体層とを、誘電体層を介して交互に積層して一体化した構造を有していて、誘電体層を介して積層方向で並ぶ第１，第２内部電極層それぞれによって複数の独立コンデンサ部を構成しており、各独立コンデンサ部の第１，第２内部導体層は同じ側縁の異なる位置に１つの引出部を有していて、各独立コンデンサ部の第１内部導体層の引出部は第１外部電極にそれぞれ接続され、且つ、第２内部導体層の引出部は該第１外部電極と隣接する第２外部電極にそれぞれ接続されており、各独立コンデンサ部の第１，第２内部導体層の引出部の端縁は該第１，第２内部導体層の引出部が接続された第１，第２外部電極の間の本体の側面で部分的に露出していて、該端縁露出部分は本体の側面の第１，第２外部電極の間に設けられた絶縁被覆部によって覆い隠されている、ことをその特徴とする。
【００１０】
この積層コンデンサによれば、各独立コンデンサ部の第１，第２内部導体層の引出部の端縁を該第１，第２内部導体層の引出部が接続された第１，第２外部電極の間の本体の側面で部分的に露出させることによって、一方極性の引出部から他方極性の引出部への電流経路の長さを短くして該電流経路で生じ得るインダクタンスを低下させることができ、しかも、一方極性の引出部と他方極性の引出部を近づけて該引出部に逆向きに流れる電流により得られる磁界相殺作用を効果的に行うことができ、これにより積層コンデンサのＥＳＬをより一層低減することができる。
【発明の効果】
【００１１】
本発明によれば、より一層の低ＥＳＬ化が図られた積層コンデンサを提供することができる。
【００１２】
本発明の前記目的とそれ以外の目的と、構成特徴と、作用効果は、以下の説明と添付図面によって明らかとなる。
【発明を実施するための最良の形態】
【００１３】
［第１実施形態］
図１〜図４は本発明（積層コンデンサ）の第１実施形態を示すもので、図１は積層コンデンサの斜視図、図２は図１に示した積層コンデンサの左側面図、図３は図１に示した積層コンデンサの横断面図、図４は図１に示した本体の層構成を示す斜視図である。
【００１４】
この積層コンデンサ１０は、所定の長さ，幅及び高さを有する直方体形状の本体１１と、本体１１の幅方向両側面それぞれに非接触で交互に設けられた一方極性の計４個の第１外部電極１２と他方極性の計４個の第２外部電極１３と、本体１１の幅方向両側面の第１，第２外部電極１２，１３の間に設けられた計４個の絶縁被覆部１４とを備えている。
【００１５】
第１外部電極１２と第２外部電極１３は本体１１の幅方向両側面それぞれに２個ずつ設けられており、本体１１の一側面（図１の右側面）には計４個の第１，第２外部電極１２，１３が左から第１外部電極１２，第２外部電極１３，第１外部電極１２，第２外部電極１３の順に並んでいて、本体１１の他側面（図１の左側面）には一側面の第１，第２外部電極１２，１３と向き合うように計４個の第１，第２外部電極１２，１３が左から第２外部電極１３，第１外部電極１２，第２外部電極１３，第１外部電極１２の順に並んでいる。
【００１６】
本体１１は、図４に示すように、同一平面に非接触で並ぶ２個の第１内部導体層１５と、同一平面に非接触で並ぶ第１内部導体層と同数の第２内部導体層１６とを、誘電体層ＤＬを介して交互に積層して一体化した構造を有している。各第１内部導体層１５と各第２内部導体層１６はほぼ同サイズの矩形状を成し、同一平面に非接触で並ぶ２個の第１内部導体層１５と同一平面に非接触で並ぶ２個の第２内部導体層１６は誘電体層ＤＬを介して積層方向で向き合っている。つまり、本体１１には、誘電体層ＤＬを介して積層方向で並ぶ第１，第２内部電極層１５，１６それぞれによって２個の独立コンデンサ部（符号無し）が長さ方向に間隔をおいて構成されている。
【００１７】
各第１内部導体層１５はその幅方向一側縁（図４の右側縁）と幅方向他側縁（図４の左側縁）にそれぞれ１個の引出部１５ａを有し、各第２内部導体層１６はその幅方向一側縁（図４の右側縁）と幅方向他側縁（図４の左側縁）にそれぞれ１個の引出部１５ａを有している。各第１内部導体層１５の引出部１５ａと各第２内部導体層１６の引出部１６ａはほぼ同サイズの矩形状を成し、同一平面に非接触で並ぶ２個の第１内部導体層１５の引出部１５ａの位置と同一平面に非接触で並ぶ２個の第２内部導体層１６の引出部１６ａの位置は長さ方向で異なっている。
【００１８】
図３に示すように、一方の独立コンデンサ部（図３の左側に構成されるコンデンサ部）を構成する各第１内部電極層１５の一側縁（図３の上側縁）の引出部１５ａは本体１１の一側面（図３の上側面）の最も左に位置する第１外部電極１２に接続され、他側縁（図３の下側縁）の引出部１５ａは本体１１の他側面（図３の下側面）の左から２番目に位置する第１外部電極１２に接続されている。また、一方の独立コンデンサ部（図３の左側に構成されるコンデンサ部）を構成する各第２内部電極層１６の一側縁（図３の上側縁）の引出部１６ａは本体１１の一側面（図３の上側面）の左から２番目に位置する第２外部電極１３に接続され、他側縁（図３の下側縁）の引出部１６ａは本体１１の他側面（図３の下側面）の最も左に位置する第２外部電極１３に接続されている。
【００１９】
他方の独立コンデンサ部（図３の右側に構成されるコンデンサ部）を構成する各第１内部電極層１５の一側縁（図３の上側縁）の引出部１５ａは本体１１の一側面（図３の上側面）の左から３番目に位置する第１外部電極１２に接続され、他側縁（図３の下側縁）の引出部１５ａは本体１１の他側面（図３の下側面）の左から４番目に位置する第１外部電極１２に接続されている。また、一方の独立コンデンサ部（図３の右側に構成されるコンデンサ部）を構成する各第２内部電極層１６の一側縁（図３の上側縁）の引出部１６ａは本体１１の一側面（図３の上側面）の左から４番目に位置する第２外部電極１３に接続され、他側縁（図３の下側縁）の引出部１６ａは本体１１の他側面（図３の下側面）の左から３番目に位置する第２外部電極１３に接続されている。
【００２０】
図３に示すように、本体１１の一側面（図３の上側面）に設けられた計４個の第１，第２外部電極１２，１３（２個の第１外部電極１２と２個の第２外部電極１３）の幅Ｗａは全て等しく、隣接する第１，第２外部電極１２，１３の内側縁間隔ａ１〜ａ３も全て等しい。また、各独立コンデンサ部を構成する第１，第２内部導体層１５，１６の引出部１５ａ，１６ａの幅Ｗｂ，Ｗｃは全て等しく、該幅Ｗｂ，Ｗｃは前記幅Ｗａよりも大きい。しかも、各独立コンデンサ部を構成する第１，第２内部導体層１５，１６の引出部１５ａ，１６ａの内側縁間隔ｂ１，ｂ２は全て等しい値で零よりも大きく、且つ、両引出部１５ａ，１６ａは積層方向で向き合っておらず、また、該内側縁間隔ｂ１，ｂ２は前記内側縁間隔ａ１〜ａ３よりも小さい。
【００２１】
つまり、各独立コンデンサ部を構成する第１，第２内部導体層１５，１６の引出部１５ａ，１６ａの端縁は該第１，第２内部導体層１５，１６の引出部１５ａ，１６ａが接続された第１，第２外部電極１２，１３の間の本体１１の側面で部分的に露出している。
【００２２】
寸法線等の図示を省略したが、本体１１の他側面側（図３の下側面側）の各第１，第２外部電極１２，１３の幅と、隣接する第１，第２外部電極１２，１３の内側縁間隔と、各独立コンデンサ部を構成する第１，第２内部導体層１５，１６の引出部１５ａ，１６ａの幅と、各独立コンデンサ部を構成する第１，第２内部導体層１５，１６の引出部１５ａ，１６ａの内側縁間隔は前記と同じである。
【００２３】
各絶縁被覆部１４は絶縁性材料から成り、図２及び図３に示すように、各独立コンデンサ部を構成する第１，第２内部導体層１５，１６の引出部１５ａ，１６ａの端縁が部分的に露出する本体１１の両側面の第１，第２外部電極１２，１３の間に帯状に設けられていて、該端縁露出部分はそれぞれ絶縁被覆部１４によって覆い隠されている。また、各絶縁被覆部１４の厚さは第１，第２外部電極１２，１３の厚さよりも小さい。
【００２４】
各絶縁被覆部１４は本体１１を構成する誘電体層ＤＬと同じ材料とすることが好ましく、例えば誘電体層ＤＬがチタン酸バリウム系誘電体材料から成る場合には各絶縁被覆部１４もこれと同一組成のチタン酸バリウム系誘電体材料とすることが好ましい。各絶縁被覆部１４の材料を本体１１を構成する誘電体層ＤＬと同じ材料とすれば、積層，圧着後の未焼成本体１１の両側面に誘電体層ＤＬと同じセラミックスラリーを用いて未焼成絶縁被覆部１４を形成したものを同時焼成して絶縁被覆部１４が一体化された本体１１を得ることができる。
【００２５】
誘電体層ＤＬ，内部電極層１５，１６及び外部電極１２，１３の組成等の関係から本体１１の焼成と外部電極１２，１３の焼成を別工程で行う必要がある場合には、未焼成本体１１に未焼成絶縁被覆部１４を形成して該未焼成本体１１と未焼成絶縁被覆部１４を同時焼成した後に本体１１に電極ペーストを用いて未焼成外部電極１２，１３を形成してこれを焼成すればよい。また、本体１１の焼成と外部電極１２，１３の焼成を同時に行える場合には、未焼成本体１１に未焼成絶縁被覆部１４と未焼成外部電極１２，１３を同順序或いは逆順序で形成して該未焼成本体１１と未焼成絶縁被覆部１４と未焼成外部電極１２，１３を同時焼成すればよい。
【００２６】
この積層コンデンサ１０にあっては、各独立コンデンサ部を構成する第１，第２内部導体層１５，１６の引出部１５ａ，１６ａの端縁を該第１，第２内部導体層１５，１６の引出部１５ａ，１６ａが接続された第１，第２外部電極１２，１３の間の本体１１の両側面で部分的に露出させることによって、一方極性の引出部１５ａから他方極性の引出部１６ａへの電流経路の長さを短くして該電流経路で生じ得るインダクタンスを低下させることができ、しかも、一方極性の引出部１５ａと他方極性の引出部１６ａを近づけて該引出部１５ａ，１６ａに逆向きに流れる電流により得られる磁界相殺作用を効果的に行うことができ、これにより積層コンデンサ１０のＥＳＬをより一層低減することができる。
【００２７】
因みに、実験によれば、各独立コンデンサ部を構成する第１，第２内部導体層１５，１６の引出部１５ａ，１６ａの端縁を第１，第２外部電極１２，１３の間の本体１１の側面で露出させずに該引出部１５ａ，１６ａの内側縁間隔を４００μｍとした場合に比べ、前記内側縁間隔ｂ１，ｂ２を３４０μｍとした場合には約１６ｐＨのＥＳＬ低下を、また、前記内側縁間隔ｂ１，ｂ２を２５０μｍとした場合には約３０ｐＨのＥＳＬ低下を図ることができたことを付記する。
【００２８】
また、各独立コンデンサ部を構成する第１，第２内部導体層１５，１６の引出部１５ａ，１６ａの端縁露出部分は本体１１の両側面の第１，第２外部電極１２，１３の間に設けられた絶縁被覆部１４によって覆い隠されているので、該端面露出部分が外気に触れて変質することを防止できると共に該端面露出部分を通じて本体１１内に水分等が侵入してコンデンサ特性の劣化を生じることも防止できる。
【００２９】
さらに、各絶縁被覆部１４の厚さを第１，第２外部電極１２，１３の厚さよりも小さくしてあるので、積層コンデンサ１０の各第１，第２外部電極１２，１３を回路基板に半田を用いて接続する際に各絶縁被覆部１４の存在によって各第１，第２外部電極１２，１３に対する半田の付着面積が減少することを極力防止することができる。
【００３０】
［第２実施形態］
図５及び図６は本発明（積層コンデンサ）の第２実施形態を示すもので、図５は図２に対応する積層コンデンサの左側面図、図６は図５に示した積層コンデンサの図３に対応する横断面図である。
【００３１】
この積層コンデンサ１０-1が前述の積層コンデンサ１０と異なるところは、各独立コンデンサ部を構成する第１，第２内部導体層１５，１６の引出部１５ａ１，１６ａ１の幅Ｗｂ１，Ｗｃ１を前述の積層コンデンサ１０の引出部１５ａ，１６ａの幅Ｗｂ，Ｗｃよりも拡大し全て同じ値とした点と、各独立コンデンサ部を構成する第１，第２内部導体層１５，１６の引出部１５ａ１，１６ａ１の内側縁間隔ｂ１，ｂ２を何れも零とした点にある。他の構成は前述の積層コンデンサ１０と同じであるためその説明を省略する。
【００３２】
この積層コンデンサ１０-1にあっては、各独立コンデンサ部を構成する第１，第２内部導体層１５，１６の引出部１５ａ１，１６ａ１の内側縁間隔ｂ１，ｂ２を零とすることによって、一方極性の引出部１５ａ１から他方極性の引出部１６ａ１への電流経路の長さをより一層短くして該電流経路で生じ得るインダクタンスをより低下させることができ、しかも、一方極性の引出部１５ａ１と他方極性の引出部１６ａ１をより一層近づけて該引出部１５ａ１，１６ａ１に逆向きに流れる電流により得られる磁界相殺作用をより効果的に行うことができ、これにより積層コンデンサ１０-1のＥＳＬをより一層低減することができる。他の作用効果は前述の積層コンデンサ１０と同じであるためその説明を省略する。
【００３３】
［第３実施形態］
図７及び図８は本発明（積層コンデンサ）の第３実施形態を示すもので、図７は図２に対応する積層コンデンサの左側面図、図８は図７に示した積層コンデンサの図３に対応する横断面図である。
【００３４】
この積層コンデンサ１０-2が前述の積層コンデンサ１０と異なるところは、各独立コンデンサ部を構成する第１，第２内部導体層１５，１６の引出部１５ａ２，１６ａ２の幅Ｗｂ２，Ｗｃ２を前述の積層コンデンサ１０の引出部１５ａ，１６ａの幅Ｗｂ，Ｗｃよりも拡大し全て同じ値とした点と、各独立コンデンサ部を構成する第１，第２内部導体層１５，１６の引出部１５ａ１，１６ａ１の内側縁間隔ｂ１，ｂ２を全て等しい値で零よりも大きくし、且つ、両引出部１５ａ１，１６ａ１が積層方向で部分的に向き合うようにした点にある。他の構成は前述の積層コンデンサ１０と同じであるためその説明を省略する。
【００３５】
この積層コンデンサ１０-2にあっては、各独立コンデンサ部を構成する第１，第２内部導体層１５，１６の引出部１５ａ２，１６ａ２の内側縁間隔ｂ１，ｂ２を零よりも大きくし、且つ、両引出部１５ａ１，１６ａ１が積層方向で部分的に向き合うようにすることによって、一方極性の引出部１５ａ２から他方極性の引出部１６ａ２への電流経路の長さをより一層短くして該電流経路で生じ得るインダクタンスをより低下させることができ、しかも、一方極性の引出部１５ａ２と他方極性の引出部１６ａ２をより一層近づけて該引出部１５ａ２，１６ａ２に逆向きに流れる電流により得られる磁界相殺作用をより効果的に行うことができ、これにより積層コンデンサ１０-2のＥＳＬをより一層低減することができる。他の作用効果は前述の積層コンデンサ１０と同じであるためその説明を省略する。
【図面の簡単な説明】
【００３６】
【図１】本発明の第１実施形態を示す、積層コンデンサの斜視図である。
【図２】図１に示した積層コンデンサの左側面図である。
【図３】図１に示した積層コンデンサの横断面図である。
【図４】図１に示した本体の層構成を示す斜視図である。
【図５】本発明の第２実施形態を示す、図２に対応する積層コンデンサの左側面図である。
【図６】図５に示した積層コンデンサの図３に対応する横断面図である。
【図７】本発明の第３実施形態を示す、図２に対応する積層コンデンサの左側面図である。
【図８】図７に示した積層コンデンサの図３に対応する横断面図である。
【符号の説明】
【００３７】
１０，１０-1，１０-2…積層コンデンサ、１１…本体、１２…第１外部電極、１３…第２外部電極、１４…絶縁被覆部、１５…第１内部導体層、１５ａ，１５ａ１，１５ａ２……引出部、１６…第２内部導体層、１６ａ，１６ａ１，１６ａ２…引出部、ＤＬ…誘電体層、ｂ１，ｂ２…引出部の内側縁間隔、Ｗａ…外部電極の幅。
【図１】
2009026872.tif 000003
【図２】
2009026872.tif 000004
【図３】
2009026872.tif 000005
【図４】
2009026872.tif 000006
【図５】
2009026872.tif 000007
【図６】
2009026872.tif 000008
【図７】
2009026872.tif 000009
【図８】
2009026872.tif 000010